(57)【要約】【課題】  従来から最も普及している刃体を柄本体に脱着交換可能にした外科手術用メスにおいて、刃体に保護カバーを装着したものは無く、執刀医やその補助者がメスの受け渡しの際に切り傷を受け、その傷から病気が感染することがあり大変危険である。【解決手段】  柄本体に刃体を脱着可能な従来のメスに使い捨ての保護カバー付きケースを装着出来る様にしたことで安全にメスの受け渡しが出来る様にした。【選択図】図９
2014083415.tif 000002
【特許請求の範囲】
【請求項１】
刃体を柄本体に脱着可能な外科手術用メスにおいて、柄本体を外包する柄ケースと該柄ケースの前部に前後に習動可能な保護カバーを備え、柄ケース後部にはメスの柄本体を柄ケースの後方から挿入するための開口部を設け、更に該開口部には開閉可能に柄ケースと接続された蓋を設け、柄本体を挿入する時には蓋を開けて該開口部から柄本体を挿入して蓋を閉じ、柄本体を取り出す時には蓋を開けて該開口から柄本体を取り出し可能にしたことを特徴とする外科手術用メスの保護カバー付きケース。
【請求項２】
柄ケースに装着された保護カバーを刃体露出状態にした時、該保護カバーが前記蓋の一部を覆う様にすると共に柄本体の刃体を取り付ける部分の根元を柄ケースおよび保護カバー先端部より露出させる様にし、且つ、保護カバー後部の外周の大きさと該保護カバーと当接する部分の柄本体および閉状態の蓋の外周の大きさをほぼ同一にしたことを特徴とする請求項１の外科手術用メスの保護カバー付きケース。
【発明の詳細な説明】
【技術分野】
【０００１】  本発明は、刃体を柄本体に脱着交換可能な外科手術用メスにおいて、執刀医やその補助者がメスの受け渡しの際に切り傷を受けることを防止するためにメスの刃体に保護カバーを備えた外科手術用メスに関するものである。
【背景技術】
【０００２】  従来、最も普及している外科手術用メスはステンレス製の柄本体の先端部に刃体を脱着交換可能にしたものと刃体と柄本体が一体固定されたものであるが、これらの手術用メスは刃体に保護カバーが無いものが多く、特に刃体が柄本体に脱着交換可能なメスについては刃体の保護カバーを備えたものは無い。【０００３】メスの刃体の保護カバー付き刃物については、特許文献１，２に記載のものが公知である。【０００４】  特許文献１は、メスの刃体と柄本体が一体となっており、固定部材を外包するようにケースを設け、該ケースに対して内部のメスを前後させることによって刃体を露出させたり、被覆するものである。【０００５】  特許文献２は、刃体と柄本体が一体となったメスで保護カバーが柄本体の前部から刃体にかけて習動可能になっており、保護カバーを刃体へ習動させることによって刃体を被覆できる。
【先行技術文献】
【特許文献】
【０００６】
【特許文献１】特開２００５−４０５７３
【特許文献２】特開２００７−２２８９８９
【発明の概要】
【発明が解決しようとする課題】
【０００７】  前述の通り、従来から最も普及している刃体を柄本体に脱着交換可能にした外科手術用メスにおいて、刃体に保護カバーを装着したものは無く、執刀医やその補助者がメスの受け渡しの際に切り傷を受け、その傷から病気が感染することがあり大変危険である。【０００８】  メスの刃体にキャップを被せることも考えられるが、キャップを脱着する時に両手で行わなければならないので脱着操作時の煩わしさや切り傷の危険性が伴う。
【課題を解決するための手段】
【０００９】  上記課題を解決するために、請求項１の発明はメスの刃体２を脱着交換可能にする柄本体１を柄ケース３の後部に設けた開口部Ｃから挿入し、柄本体１を外包する柄ケース３に備えた保護カバー１３を前後に習動させることによって刃体２を被覆あるいは露出を可能にし、メスの受け渡し時には刃体２を被覆状態にすることによって安全に受け渡し作業が出来る様にすると共に使用後は刃体２を柄本体から取り外した後、開口部Ｃから柄本体１を抜き出して保護カバー４，柄ケース３を廃棄し、取り出した柄本体１は、熱消毒して再利用出来る様にし、メスを安全に取り扱える様にした。【００１０】  請求項２は、刃体２を露出状態にした時に保護カバー１３が蓋４の前部４ａを覆う様にして使用中に誤って蓋４が開かない様にすると共に柄本体１の刃体２を取り付ける根元１ｃを柄ケース３および保護カバー１３先端部より露出させることによって刃体２の脱着をより容易に行える様にし、且つ、保護カバー１３後部の外周の大きさと保護カバー１３と当接する当接面Ｃ部分の柄本体３および閉状態の蓋４の外周の大きさをほぼ同一にして上記当接面Ｃ部分での段差を無くし、保護カバー１３が存在することによる使用時の違和感を無くした。
【発明の効果】
【００１１】  本発明によって、保護カバーの無い刃体が脱着可能な従来の外科手術メスにも使用できるので執刀医やその補助者がメスの受け渡しの際に切り傷の心配が無く安全に作業ができ、柄本体は再利用できるので手術に関わるメスのコストも軽減できる。
【図面の簡単な説明】
【００１２】
【図１】刃体と柄本体の斜視図
【図２】刃体を柄本体に装着した斜視図
【図３】柄ケースの斜視図
【図４】柄ケースの蓋を開いた斜視図
【図５】柄ケースの蓋を閉じた斜視図
【図６】保護カバーの斜視図
【図７】保護カバーを柄ケースに装着前の斜視図
【図８】保護カバーを柄ケースに装着後の斜視図
【図９】柄本体を柄ケースに挿入するところの斜視図
【図１０】柄ケースにメスを装着した部分断面図
【図１１】刃体を露出させた状態の側面図
【図１２】刃体を被覆させた状態の側面図
【発明を実施するための形態】
【００１３】  本発明の実施例を図１〜図１２参照して説明する。
【実施例】
【００１４】  図１は、従来から最も多く使用されている刃体２が柄本体１に脱着交換可能な外科手術用メスであり、柄本体前部１ａに刃体２を装着し、使用後は刃体２を取り外し、柄本体１はステンレス製で使用後は熱消毒して再利用される。【００１５】  図２は、刃体２を柄本体１に装着した図で使用時はこの形で使用する。【００１６】  図３は、柄本体１を収納する柄ケース３であり、柄ケース３には柄本体前部１ａを露出させるための開口部ＢとＡ部で接合された蓋４と上下にはスライド溝５，９と裏面の表示は省略するが両側面にはストッパー６，位置決め突起７，８を設け、更に段差面Ｃを設けている。【００１７】  図４に示す様にＡ部で接合された蓋４は開閉可能になっており、矢印Ｅ方向に閉じて図４，図５に示す様に蓋４のフック１０に設けたフック穴１１と柄ケース３に設けた突起１２に係合させて蓋４を開かない様にする。【００１８】  図６は、保護カバー１３の詳細図であり、その内部の上下には柄ケース３に設けたスライド溝５，９に沿って習動規制するスライド突起１４，１５を長手方向に配置し、更に両側面に逃がし窓１６，ストッパー窓１７，スリット１８，１９を設けてある。【００１９】  図７は、保護カバー１３を柄ケース３に装着する図であって、保護カバー１３内部の上面に設けたスライド突起１５をスライド溝５に合わせ、保護カバー１３内部の下面に設けたスライド突起１４をスライド溝９に合わせて保護カバー１３を柄ケース３に装着する。【００２０】  保護カバー１３を柄ケースへ装着する時に柄ケース３に設けたストッパー６，位置決め突起７，８に当接するが保護カバー１３にスリット１８，１９を設けているので当接部が弾性で撓んでストッパー６，位置決め突起７，８を乗り越えて装着できる。【００２１】  ストッパー６，位置決め突起７，８の作用を説明すると、図４で示す様にストッパー６の前部面と位置決め突起７，８は略円弧状にして保護カバー１３に設けたスリット１８，１９部の弾性撓みによって容易に乗り越えて装着できる様になっている。【００２２】  また、ストッパー６の後部面６ａは柄ケース３の側面３ａに対して垂直になっているので図７で示す逃がし窓１６の後端部１６ｂがストッパー６の後部面６ａに当接して保護カバー１３が柄ケース３から抜け落ちない様になっている。【００２３】  図８は、保護カバー１３を柄ケース３に装着した状態で、矢印前後方向へ習動可能になっている。【００２４】  柄ケース３に柄本体１を挿入する時には図９で示す様に蓋４を開き、柄本体１を柄ケース３の開口部Ｄから矢印Ｇ方向へ挿入して蓋４を閉じ、挿入後、刃体２を柄本体１へ装着する。【００２５】  柄本体１を取り出す際には、刃体２を柄本体１から取り外し、蓋４を開けて柄本体１の開口部Ｄから矢印Ｈ方向へ引き抜き、刃体２，柄ケース３，保護カバー１３は廃棄して柄本体１は熱消毒した上で再利用する。【００２６】  前述で挿入した柄本体１は柄ケース３に挿入した時に図１０で表示する柄ケース３の前部に設けたストッパー３ａに図１，図１０で表示する柄本体１の前上部面１ｂが当接して前方へ抜け出ない様になっている。【００２７】  刃体２を露出させた使用時の状態を図１１，図３によって説明する。【００２��】  メスの使用時は、保護カバー１３を矢印Ｊ方向へ押し引いて柄ケース３に設けた段差面Ｃに当接させて刃体２を露出させる。【００２９】  このとき保護カバー１３に設けた逃がし窓１６の端部１６ａ，１６ｂがストッパー６と位置決め突起８によって係合され、親指の操作によって保護カバー１３が習動可能であってメスの使用時には動かない程度に固定される。【００３０】  保護カバー１３の端部が段差面Ｃに当接した時に当接面Ｃの外周の上下左右の大きさと保護カバー１３の外周の上下左右の大きさをほぼ同じ大きさにして上下面Ｌ，Ｍで表示する様に段差を無くすことによって使用時に違和感を無くした。【００３１】  表示は省略するが、側面も同様に段差を無くしている。【００３２】  また、図１１で示す様に刃体２を露出状態にした時、柄本体１の刃体２を取り付ける根元１ｃを柄ケース３および保護カバー１３先端部より露出させることによって刃体２の脱着をより容易に行える様にし、また、蓋４の前部４ａを保護ケース１３の後部で外包することによって誤って蓋４を開けることを防ぎ、より安全に作業ができる。【００３３】  刃体２を被覆する時には、図１２で示す様に矢印Ｋの前方方向へ逃がし窓１６の後端部１６ｂがストッパー６の後部面６ａに当接するまで押し出し、柄ケース３に設けた位置決め突起７を保護ケース１３に設けたストッパー窓１７に係合させ、親指の操作によって保護カバー１３が係合解除可能な程度に固定される。
【符号の説明】
【００３４】  １・・・柄本体      ２・・・刃体      ３・・・柄ケース
４・・・蓋        ５・・・スライド溝      ６・・・ストッパー
７・・・位置決め突起    ８・・・位置決め突起    ９・・・スライド溝
１０・・・フック        １１・・・フック穴      １２・・・突起
１３・・・保護カバー  １４・・・スライド突起
１５・・・スライド突起
１６・・・逃がし窓    １７・・・ストッパー窓    １８・・・スリット
１９・・・スリット
【図１】
2014083415.tif 000003
【図２】
2014083415.tif 000004
【図３】
2014083415.tif 000005
【図４】
2014083415.tif 000006
【図５】
2014083415.tif 000007
【図６】
2014083415.tif 000008
【図７】
2014083415.tif 000009
【図８】
2014083415.tif 000010
【図９】
2014083415.tif 000011
【図１０】
2014083415.tif 000012
【図１１】
2014083415.tif 000013
【図１２】
2014083415.tif 000014